(57)【要約】【課題】バッテリの省電力化を図りつつ、携帯端末の照明対象物の視認性を安定的に確保すること。【解決手段】照明装置１０は、携帯端末１００に設けられ、発光する蓄光部材と、携帯端末１００の周囲の照度を検出する照度検出手段と、照度検出手段により周囲の照度を検出しているときの時間を計測する時間計測手段と、電源から供給される電力を用いて、携帯端末１００の照明を行う照明手段と、蓄光部材の特性を含む蓄光特性データを記憶する記憶手段と、記憶手段に記憶された蓄光特性データと、照度検出手段により検出された周囲の照度と、時間計測手段により計測された時間と、に基づいて、蓄光部材に蓄積された蓄光量の度合いを示す蓄光度合を算出する蓄光度合算出手段と、照度検出手段により検出された周囲の照度と、蓄光度合算出手段により算出された蓄光度合と、に基づいて、照明手段の照明を制御する制御手段と、を備える。【選択図】図１
2012222738.tif 000002
【特許請求の範囲】
【請求項１】
携帯端末に設けられ、発光する蓄光部材と、
前記携帯端末の周囲の照度を検出する照度検出手段と、
前記照度検出手段により前記周囲の照度を検出しているときの時間を計測する時間計測手段と、
電源から供給される電力を用いて、前記携帯端末の照明を行う照明手段と、
前記蓄光部材の特性を含む蓄光特性データを記憶する記憶手段と、
前記記憶手段に記憶された前記蓄光特性データと、前記照度検出手段により検出された前記周囲の照度と、前記時間計測手段により計測された前記時間と、に基づいて、前記蓄光部材に蓄積された蓄光量の度合いを示す蓄光度合を算出する蓄光度合算出手段と、
前記照度検出手段により検出された前記周囲の照度と、前記蓄光度合算出手段により算出された前記蓄光度合と、に基づいて、前記照明手段の照明を制御する制御手段と、を備える、ことを特徴とする照明装置。
【請求項２】
請求項１記載の照明装置であって、
前記制御手段は、
前記照度検出手段により検出された前記周囲の照度が所定照度以下であり、かつ前記蓄光度合算出手段により算出された前記蓄光度合が所定値以下の場合に、前記照明手段の照明をオン状態に制御し、
前記照度検出手段により検出された前記周囲の照度が所定照度以下であり、かつ前記蓄光度合算出手段により算出された前記蓄光度合が所定値より大きい場合に、前記照明手段の照明をオフ状態に制御し、
前記照度検出手段により検出された前記周囲の照度が所定照度より高い場合に、前記照明手段の照明をオフ状態に制御する、
ことを特徴とする照明装置。
【請求項３】
請求項１又は２記載の照明装置であって、
前記蓄光部材は、前記携帯端末のキー操作部又は表示部に塗布された蓄光塗料である、ことを特徴とする照明装置。
【請求項４】
請求項１乃至３のうちいずれか１項記載の照明装置であって、
前記蓄光特性データは、前記周囲の照度毎の、経過時間に対する前記蓄光部材の蓄光度合の変化を示すデータである、ことを特徴とする照明装置。
【請求項５】
請求項１乃至４のうちいずれか１項記載の照明装置であって、
前記照明手段は、前記携帯端末のキー操作部の照明を行うキーバックライト、又は表示部の照明を行うディスプレイバックライトである、ことを特徴とする照明装置。
【請求項６】
請求項１乃至５のうちいずれか１項記載の照明装置であって、
前記照明手段は、ＬＥＤ（Light Emitting Diode）である、ことを特徴とする照明装置。
【請求項７】
キー操作部又は表示部に設けられ発光して、前記キー操作部又は表示部の照明を行う蓄光部材と、
周囲の照度を検出する照度検出手段と、
前記照度検出手段により前記周囲の照度を検出しているときの時間を計測する時間計測手段と、
電源から供給される電力を用いて、照明を行う照明手段と、
前記蓄光部材の特性を含む蓄光特性データを記憶する記憶手段と、
前記記憶手段に記憶された前記蓄光特性データと、前記照度検出手段により検出された前記周囲の照度と、前記時間計測手段により計測された前記時間と、に基づいて、前記蓄光部材に蓄積された蓄光量の度合いを示す蓄光度合を算出する蓄光度合算出手段と、
前記照度検出手段により検出された前記周囲の照度と、前記蓄光度合算出手段により算出された前記蓄光度合と、に基づいて、前記照明手段の照明を制御する制御手段と、を備える、ことを特徴とする携帯端末。
【請求項８】
前記携帯端末の周囲の照度を検出するステップと、
前記周囲の照度を検出しているときの時間を計測するステップと、
電源から供給される電力を用いて、前記携帯端末の照明を行うステップと、
当該携帯端末に設けられた蓄光部材の特性を含む蓄光特性データと、前記検出された周囲の照度と、前記計測された時間と、に基づいて、前記蓄光部材に蓄積された蓄光量の度合いを示す蓄光度合を算出するステップと、
前記検出された周囲の照度と、前記算出された蓄光度合と、に基づいて、前記照明を制御するステップと、を含む、ことを特徴とする照明装置の制御方法。
【請求項９】
携帯端末の周囲の照度を検出しているときの時間を計測する処理と、
前記携帯端末に設けられた蓄光部材の特性を含む蓄光特性データと、前記検出された周囲の照度と、前記計測された時間と、に基づいて、前記蓄光部材に蓄積された蓄光量の度合いを示す蓄光度合を算出する処理と、
前記周囲の照度と、前記算出された蓄光度合と、に基づいて、電源から供給される電力を用いて前記携帯端末の照明を制御する処理と、
をコンピュータに実行させることを特徴とする照明装置の制御プログラム。
【発明の詳細な説明】
【技術分野】
【０００１】
本発明は、発光する蓄光部材と、電源から供給される電力を用いて照明を行うバックライトと、を備える照明装置、携帯端末、その制御方法、及び制御プログラムに関するものである。
【背景技術】
【０００２】
近年、蓄光部材による発光を利用して、バッテリの省電力化を図った携帯端末の開発が行われている。例えば、照明による消費電力を抑えるために、照度センサを使用して周囲が明るいところではライトをオフ状態にし、暗いところではオン状態にする携帯端末が知られている。当該携帯端末において、暗い場所でライトが常にオン状態となるためバッテリの電力を無駄に消費することとなり、キー操作部を蓄光部材により照射した場合でも、暗い場所で一定時間が経過すると蓄光部材が発光しなくなるため、キー操作部の視認性が低下するという問題が生じている。
【０００３】
上述の問題を解決すべく、蓄光部材の光チャージ量を計算し、必要に応じて表示部を点灯駆動して蓄光部材に対する光チャージを行う折畳式携帯端末が知られている（特許文献１参照）。また、ライトが点灯してから所定時間経過した場合に消灯させ、キー操作部を蓄光部材により照射させる携帯端末が知られている（特許文献２参照）。さらに、キー操作部に対向する表示部を発光させることによって、蓄光部材に光を蓄えさせる折畳式携帯端末が知られている（特許文献３参照）。
【先行技術文献】
【特許文献】
【０００４】
【特許文献１】特開２００７−１５６８９２号公報
【特許文献２】特開２００８−２３６６３０号公報
【特許文献３】特開２０１０−１０８７７２号公報
【発明の概要】
【発明が解決しようとする課題】
【０００５】
しかしながら、上記特許文献１及び３に示す折畳式携帯端末においては、蓄光部材に光を蓄えるために特別に表示部を点灯させるため、この表示部の点灯により必要以上にバッテリの電力が消費される可能性がある。また、上記特許文献２に示す携帯端末においては、ライトを点灯してからの経過時間に応じて蓄光部材による照射を行うため、蓄光部材の特性によって、蓄光部材の照射が不十分となる虞がある。
【０００６】
本発明は、このような問題点を解決するためになされたものであり、バッテリの省電力化を図りつつ、携帯端末の照明対象物の視認性を安定的に確保できる照明装置、携帯端末、その制御方法、及び制御プログラムを提供することを主たる目的とする。
【課題を解決するための手段】
【０００７】
上記目的を達成するための本発明の一態様は、携帯端末に設けられ、発光する蓄光部材と、前記携帯端末の周囲の照度を検出する照度検出手段と、前記照度検出手段により前記周囲の照度を検出しているときの時間を計測する時間計測手段と、電源から供給される電力を用いて、前記携帯端末の照明を行う照明手段と、前記蓄光部材の特性を含む蓄光特性データを記憶する記憶手段と、前記記憶手段に記憶された前記蓄光特性データと、前記照度検出手段により検出された前記周囲の照度と、前記時間計測手段により計測された前記時間と、に基づいて、前記蓄光部材に蓄積された蓄光量の度合いを示す蓄光度合を算出する蓄光度合算出手段と、前記照度検出手段により検出された前記周囲の照度と、前記蓄光度合算出手段により算出された前記蓄光度合と、に基づいて、前記照明手段の照明を制御する制御手段と、を備える、ことを特徴とする照明装置である。
【０００８】
他方、上記目的を達成するための本発明の一態様は、キー操作部又は表示部に設けられ発光して、前記キー操作部又は表示部の照明を行う蓄光部材と、周囲の照度を検出する照度検出手段と、前記照度検出手段により前記周囲の照度を検出しているときの時間を計測する時間計測手段と、電源から供給される電力を用いて、照明を行う照明手段と、前記蓄光部材の特性を含む蓄光特性データを記憶する記憶手段と、前記記憶手段に記憶された前記蓄光特性データと、前記照度検出手段により検出された前記周囲の照度と、前記時間計測手段により計測された前記時間と、に基づいて、前記蓄光部材に蓄積された蓄光量の度合いを示す蓄光度合を算出する蓄光度合算出手段と、前記照度検出手段により検出された前記周囲の照度と、前記蓄光度合算出手段により算出された前記蓄光度合と、に基づいて、前記照明手段の照明を制御する制御手段と、を備える、ことを特徴とする携帯端末であってもよい。
【０００９】
また、上記目的を達成するための本発明の一態様は、前記携帯端末の周囲の照度を検出するステップと、前記周囲の照度を検出しているときの時間を計測するステップと、電源から供給される電力を用いて、前記携帯端末の照明を行うステップと、当該携帯端末に設けられた蓄光部材の特性を含む蓄光特性データと、前記検出された周囲の照度と、前記計測された時間と、に基づいて、前記蓄光部材に蓄積された蓄光量の度合いを示す蓄光度合を算出するステップと、前記検出された周囲の照度と、前記算出された蓄光度合と、に基づいて、前記照明を制御するステップと、を含む、ことを特徴とする照明装置の制御方法であってもよい。
【００１０】
さらに、上記目的を達成するための本発明の一態様は、携帯端末の周囲の照度を検出しているときの時間を計測する処理と、前記携帯端末に設けられた蓄光部材の特性を含む蓄光特性データと、前記検出された周囲の照度と、前記計測された時間と、に基づいて、前記蓄光部材に蓄積された蓄光量の度合いを示す蓄光度合を算出する処理と、前記周囲の照度と、前記算出された蓄光度合と、に基づいて、電源から供給される電力を用いて前記携帯端末の照明を制御する処理と、をコンピュータに実行させることを特徴とする照明装置の制御プログラムであってもよい。
【発明の効果】
【００１１】
本発明によれば、バッテリの省電力化を図りつつ、携帯端末の照明対象物の視認性を安定的に確保できる照明装置、携帯端末、その制御方法、及び制御プログラムを提供することを主たる目的とする。
【図面の簡単な説明】
【００１２】
【図１】本発明の実施の形態１に係る照明装置の概略的な構成を示すブロック図である。
【図２】本発明の実施の形態１に係る携帯端末の概略的な構成を示す図である。
【図３】メモリに記憶された蓄光特性データの一例を示す図である。
【図４】本発明の実施の形態１に係る照明装置による制御処理フローの一例を示すフローチャートである。
【図５】本発明の実施の形態２に係る照明装置による制御処理フローの一例を示すフローチャートである。
【発明を実施するための形態】
【００１３】
実施の形態１．
以下、図面を参照して本発明の実施の形態について説明する。図１は、本発明の実施の形態１に係る照明装置の概略的な構成を示すブロック図である。本実施形態１に係る照明装置１０は、携帯端末１００に設けられたキー操作部１１と、制御装置１２と、照度センサ１３と、蓄光塗料部１４と、キーバックライト１５と、ディスプレイバックライト１６と、バッテリ１７と、を備えている。
【００１４】
携帯端末１００は、例えば、折畳み式、スライド式などの携帯電話機１００である（図２）。携帯端末は、例えば、アンテナ１０１、無線部１０２、携帯本体１０３、音声等が出力されるレシーバ１０４、液晶や有機ＥＬなどからなる表示部１０５、音声等が入力されるマイク１０６、キー操作入力が行われるキー操作部１１、などから構成されている。なお、本実施形態１に係る携帯電話機１００は、通常の携帯電話機が有する構成及び機能を有しているが周知であるため、その詳細な説明は省略する。
【００１５】
キー操作部１１には、押圧操作が可能な複数の操作キー（数字キー、文字キー、ファンクションキーなど）が設けられている。無線部１０２は、制御装置１２による制御の下、アンテナ１０１を介して外部の基地局と音声信号、制御信号及びデータ信号等の各種信号を送受信する。
【００１６】
照度センサ１３は、照度検出手段の一具体例であり、例えば、携帯電話機１００の携帯本体１０３に設けられており、フォトダイオードなどから構成されている。照度センサ１３は、所定周期で、携帯電話機１００周囲の照度を検出する。照度センサ１３は、制御装置１２に接続されており、検出した携帯端末１００周囲の照度を制御装置１２に対して出力する。
【００１７】
蓄光塗料部１４は、蓄光部材の一具体例であり、周囲光により励起され、一定時間、発光する塗料であり、キー操作部１１の前面に形成されている。
【００１８】
キーバックライト１５は、照明手段の一具体例であり、バッテリ（電源）１７から供給される電力を用いて発光し、キー操作部１１の照明を行う。キーバックライト１５は、バッテリ１７の省電力化を目的として、例えば、ＬＥＤ（Light Emitting Diode）などが用いられている。キーバックライト１５は制御部１２に接続されており、制御部１２からの制御信号に応じて、オン状態となり照明を開始し、あるいは、オフ状態となり照明を停止する。
【００１９】
制御装置１２は、時間を計測する時間計測部１２１と、蓄光塗料部１４の蓄光材料の特性を含む蓄光特性データを記憶するメモリ１２２と、蓄光塗料部１４に蓄積された蓄光量の度合いを示す蓄光度合を算出する蓄光度合算出部１２３と、キーバックライト１５のオン状態及びオフ状態に制御する制御部１２４と、を有している。
【００２０】
時間計測部１２１は、時間計測手段の一具体例であり、照度センサ１３により周囲の照度を検出しているときの時間を計測する。なお、時間計測部１２１は、照度センサ１３が照度の検出を行う所定周期（測定間隔）に基づいて上記時間を算出してもよい。
【００２１】
メモリ１２２は、記憶手段の一具体例であり、例えば、後述のＲＡＭなどにより構成されている。メモリ１２２は、例えば、図３に示すような蓄光特性データを記憶する。蓄光特性データは、周囲の照度毎の、経過時間に対する蓄光塗料部１４の蓄光度合の変化を示すデータである。これは、周囲の照度によって、蓄光塗料部１４に蓄光できる蓄光度合の最大値や変化量が異なり、例えば、周囲の照度が低いと蓄光されずに蓄光度合が減少する場合もある。このため、照度０〜１００[ｌｘ]、・・・、１０００〜２０００[ｌｘ]、２０００〜３０００[ｌｘ]というように、周囲の照度毎に蓄光特性データを有している。
【００２２】
また、使用する蓄光塗料に応じた蓄光特性データをメモリ１２２に保存することで、任意の蓄光塗料に対しても適用でき、コストを考慮した材料選択や、携帯端末１００の携帯本体１０３の色に合わせた材料の色を選択することもできる。
【００２３】
蓄光度合算出部１２３は、蓄光度合算出手段の一具体例であり、メモリ１２２に記憶された蓄光特性データと、照度センサ１３により検出された周囲の照度と、時間計測部１２１により計測された時間と、に基づいて、蓄光塗料部１４の蓄光度合を算出する。蓄光度合算出部１２３は、算出した蓄光度合を制御部１２４及びメモリ１２２に出力する。
【００２４】
より具体的に、蓄光度合算出部１２３は、照度センサ１３により検出された周囲の照度に対応する蓄光特性データを選択し（図３）、選択した蓄光特性データの変化グラフと、時間計測部１２１により計測された時間とに基づいて、蓄光塗料部１４の蓄光度合を算出する。蓄光度合算出部１２３は、算出した蓄光塗料部１４の蓄光度合を制御部１２４及びメモリ１２２に対して出力する。なお、蓄光度合算出部１２３は、照度センサ１３が周囲の照度を検出する毎、すなわち、所定周期毎に、蓄光度合を算出する。
【００２５】
制御部１２４は、制御手段の一具体例であり、照度センサ１３により検出された周囲の照度と、蓄光度合算出部１２３により算出された蓄光塗料部１４の蓄光度合と、に基づいて、キーバックライト１５の照明をオン状態又はオフ状態に制御する。
【００２６】
例えば、制御部１２４は、照度センサ１３により検出された周囲の照度が所定照度以下であり、かつ蓄光度合算出部１２３により算出された蓄光塗料部１４の蓄光度合が所定値以下の場合に、周囲が暗く、かつ、蓄光塗料部１４による発光が不十分と判断し、キーバックライト１５の照明をオン状態に制御する。これにより、周囲の照度が低く、かつ蓄光塗料部１４による照明が不十分な場合でも、キーバックライトを点灯させることで、キー操作部１１に対するユーザの視認性は確実に維持される。
【００２７】
一方、制御部１２４は、照度センサ１３により検出された周囲の照度が所定照度以下であり、かつ蓄光度合算出部１２３により算出された蓄光塗料部１４の蓄光度合が所定値より大きい場合に、周囲が暗く、かつ、蓄光塗料部１４による発光が十分であると判断し、キーバックライト１５の照明をオフ状態に制御する。これにより、周囲の照度が低い場合でも、蓄光塗料部１４の発光によりキー操作部１１に対するユーザの視認性を確保しつつ、キーバックライト１５を消灯することでバッテリ１７の電力消費を効果的に抑制できる。
【００２８】
また、制御部１２４は、照度センサ１３により検出された周囲の照度が所定照度より高い場合に、周囲が明るいと判断し、キーバックライト１５の照明をオフ状態に制御する。これにより、周囲の照度が高く明るい場合に、キーバックライト１５を消灯させることで、バッテリ１７の電力消費を効果的に抑制できる。なお、上記所定照度及び所定値は、例えば、後述の制御装置１２のＲＯＭやＲＡＭに予め設定されている。
【００２９】
制御装置１２は、例えば、演算処理、制御処理等と行うＣＰＵ（Central Processing Unit）（不図示）と、ＣＰＵによって実行される演算プログラム、制御プログラム等が記憶されたＲＯＭ（Read Only Memory）（不図示）と、処理データ等を一時的に記憶するＲＡＭ（Random Access Memory）（不図示）と、を有するマイクロコンピュータを中心にして、ハードウェア構成されている。また、これらＣＰＵ、ＲＯＭ、及びＲＡＭは、データバス等によって相互に接続されている。
【００３０】
次に、本発明の実施の形態１に係る照明装置１０の制御方法について詳細に説明する。図４は、本実施の形態に係る照明装置による制御処理フローの一例を示すフローチャートである。図４に制御処理は、所定時間毎に繰り返し実行される。
【００３１】
照度センサ１３は携帯端末１００の周囲の照度を検出し（ステップＳ１０１）、検出した周囲の照度を制御装置１２の蓄光度合算出部１２３及び制御部１２４に対して出力する。
【００３２】
蓄光度合算出部１２３は、メモリ１２２に記憶された蓄光特性データと、照度センサ１３により検出された周囲の照度と、時間計測部１２１により計測された時間と、に基づいて、蓄光塗料部１４の蓄光度合を算出し（ステップＳ１０２）、算出した蓄光度合を制御部１２４に対して出力する。
【００３３】
制御部１２４は、照度センサ１３により検出された周囲の照度が所定照度以下であるか否かを判断する（ステップＳ１０３）。
【００３４】
制御部１２４は、照度センサ１３により検出された周囲の照度が所定照度以下であると判断したとき（ステップＳ１０３のＹＥＳ）、蓄光度合算出部１２３により算出された蓄光塗料部１４の蓄光度合が所定値以下であるか否かを判断する（ステップＳ１０４）。一方、制御部１２４は、照度センサ１３により検出された周囲の照度が所定照度以下でないと判断したとき（ステップＳ１０３のＮＯ）、キーバックライト１５の照明をオフ状態に制御し（ステップＳ１０５）、本制御処理を終了する。
【００３５】
制御部１２４は、蓄光度合算出部１２３により算出された蓄光塗料部１４の蓄光度合が所定値以下であると判断したとき（ステップＳ１０４のＹＥＳ）、キーバックライト１５の照明をオン状態に制御し（ステップＳ１０６）、本制御処理を終了する。
【００３６】
一方、制御部１２４は、蓄光度合算出部１２３により算出された蓄光塗料部１４の蓄光度合が所定値以下でないと判断したとき（ステップＳ１０４のＮＯ）、キーバックライト１５の照明をオフ状態に制御し（ステップＳ１０５）、本制御処理を終了する。
【００３７】
以上、本実施の形態１に係る照明装置１０において、制御部１２４は、照度センサ１３により検出された周囲の照度が所定照度以下であり、蓄光度合算出部１２３により算出された蓄光塗料部１４の蓄光度合が所定値以下であると判断したとき、キーバックライト１５の照明をオン状態に制御する。これにより、周囲の照度が低く、かつ蓄光塗料部１４による照明が不十分である場合でも、キーバックライト１５を点灯させ、ユーザの視認性を確実に維持することができる。
【００３８】
一方、制御部１２４は、照度センサ１３により検出された周囲の照度が所定照度以下であり、蓄光度合算出部１２３により算出された蓄光塗料部１４の蓄光度合が所定値以下でないと判断したとき、キーバックライト１５の照明をオフ状態に制御する。これにより、周囲の照度が低い場合でも、蓄光塗料部１４の発光によりユーザの視認性を確保しつつ、キーバックライト１５を消灯させバッテリ１７の消費電力を抑えることができる。すなわち、バッテリ１７の省電力化を図りつつ、携帯端末１００の照明対象物の視認性を安定的に確保できる
【００３９】
実施の形態２．
本発明の実施の形態２に係る照明装置１０は、蓄光塗料部１４が携帯本体１０３の表示部１０５に形成されている点で、上記実施の形態１に係る照明装置１０と相違する。ディスプレイバックライト１６は、照明手段の一具体例であり、表示部１０５に内蔵されており、バッテリ１７から供給される電力を用いて発光し、表示部１０５の表示画面の照明を行う。ディスプレイバックライト１６は、キーバックライト１８と同様に、例えば、ＬＥＤなどが用いられている。また、ディスプレイバックライト１６は制御部１２に接続されており、制御部１２からの制御信号に応じて、オン状態となり照明を開始し、あるいは、オフ状態となり照明を停止する。
【００４０】
本実施の形態２に係る照明装置１０によれば、ディスプレイバックライト１６によるバッテリ１７の消費電力を効果的に抑制することができる。なお、本実施の形態２に係る照明装置１０においては、照度センサ１３を表示部１０５近傍に設け、上記実施の形態１に係る照明装置１０においては、照度センサ１３をキー操作部１１近傍に設けるようにしてもよい。
【００４１】
以下、本発明の実施の形態２に係る照明装置１０の制御方法について詳細に説明する。照度センサ１３は携帯端末１００の周囲の照度を検出し（ステップＳ２０１）、検出した周囲の照度を制御装置１２の蓄光度合算出部１２３及び制御部１２４に対して出力する。
【００４２】
蓄光度合算出部１２３は、メモリ１２２に記憶された蓄光特性データと、照度センサ１３により検出された周囲の照度と、時間計測部１２１により計測された時間と、に基づいて、蓄光塗料部１４の蓄光度合を算出し（ステップＳ２０２）、算出した蓄光度合を制御部１２４に対して出力する。
【００４３】
制御部１２４は、照度センサ１３により検出された周囲の照度が所定照度以下であるか否かを判断する（ステップＳ２０３）。
【００４４】
制御部１２４は、照度センサ１３により検出された周囲の照度が所定照度以下であると判断したとき（ステップＳ２０３のＹＥＳ）、蓄光度合算出部１２３により算出された蓄光塗料部１４の蓄光度合が所定値以下であるか否かを判断する（ステップＳ２０４）。一方、制御部１２４は、照度センサ１３により検出された周囲の照度が所定照度以下でないと判断したとき（ステップＳ２０３のＮＯ）、ディスプレイバックライト１６の照明をオフ状態に制御し（ステップＳ２０５）、本制御処理を終了する。
【００４５】
制御部１２４は、蓄光度合算出部１２３により算出された蓄光塗料部１４の蓄光度合が所定値以下であると判断したとき（ステップＳ２０４のＹＥＳ）、ディスプレイバックライト１６の照明をオン状態に制御し（ステップＳ２０６）、本制御処理を終了する。
【００４６】
一方、制御部１２４は、蓄光度合算出部１２３により算出された蓄光塗料部１４の蓄光度合が所定値以下でないと判断したとき（ステップＳ２０４のＮＯ）、ディスプレイバックライト１６の照明をオフ状態に制御し（ステップＳ２０５）、本制御処理を終了する。
なお、上記実施の形態１と本実施の形態２とを組み合わせて、キー操作部１１及び表示部１０５に蓄光塗料部１４を設け、キーバックライト１５及びディスプレイバックライト１６の消費電力を抑制するように構成してもよい。
本実施の形態２において、他の構成は上記実施の形態１と略同一であるため、詳細な説明は省略する。
【００４７】
本発明は上記実施の形態に限られたものではなく、趣旨を逸脱しない範囲で適宜変更することが可能である。
例えば、上記実施の形態において、キー操作部１１に蓄光塗料部１４を設けキーバックライト１５の消費電力を抑制し、或いは、表示部１０５に蓄光塗料部１４を設けディスプレイバックライト１６の消費電力を抑制しているが、これに限らず、携帯端末１００の任意の照明部位に蓄光塗料部１４を設けそのバックライトの消費電力を抑制してもよい。
【００４８】
また、上述の実施の形態では、本発明をハードウェアの構成として説明したが、本発明は、これに限定されるものではない。本発明は、例えば、図４又は図５に示す処理を、ＣＰＵにコンピュータプログラムを実行させることにより実現することも可能である。
【００４９】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００５０】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５１】
さらに、上記実施の形態の一部又は全部は、以下の付記のようにも記載されうるが、以下には限られない。
【００５２】
（付記１）
携帯端末に設けられ、発光する蓄光部材と、
前記携帯端末の周囲の照度を検出する照度検出手段と、
前記照度検出手段により前記周囲の照度を検出しているときの時間を計測する時間計測手段と、
電源から供給される電力を用いて、前記携帯端末の照明を行う照明手段と、
前記蓄光部材の特性を含む蓄光特性データを記憶する記憶手段と、
前記記憶手段に記憶された前記蓄光特性データと、前記照度検出手段により検出された前記周囲の照度と、前記時間計測手段により計測された前記時間と、に基づいて、前記蓄光部材に蓄積された蓄光量の度合いを示す蓄光度合を算出する蓄光度合算出手段と、
前記照度検出手段により検出された前記周囲の照度と、前記蓄光度合算出手段により算出された前記蓄光度合と、に基づいて、前記照明手段の照明を制御する制御手段と、を備える、ことを特徴とする照明装置。
（付記２）
（付記１）記載の照明装置であって、
前記制御手段は、
前記照度検出手段により検出された前記周囲の照度が所定照度以下であり、かつ前記蓄光度合算出手段により算出された前記蓄光度合が所定値以下の場合に、前記照明手段の照明をオン状態に制御し、
前記照度検出手段により検出された前記周囲の照度が所定照度以下であり、かつ前記蓄光度合算出手段により算出された前記蓄光度合が所定値より大きい場合に、前記照明手段の照明をオフ状態に制御し、
前記照度検出手段により検出された前記周囲の照度が所定照度より高い場合に、前記照明手段の照明をオフ状態に制御する、
ことを特徴とする照明装置。
（付記３）
（付記１）又は（付記２）記載の照明装置であって、
前記蓄光部材は、前記携帯端末のキー操作部又は表示部に塗布された蓄光塗料である、ことを特徴とする照明装置。
（付記４）
（付記１）乃至（付記３）のうちいずれかに記載の照明装置であって、
前記蓄光特性データは、前記周囲の照度毎の、経過時間に対する前記蓄光部材の蓄光度合の変化を示すデータである、ことを特徴とする照明装置。
（付記５）
（付記１）乃至（付記４）のうちいずれかに記載の照明装置であって、
前記照明手段は、前記携帯端末のキー操作部の照明を行うキーバックライト、又は表示部の照明を行うディスプレイバックライトである、ことを特徴とする照明装置。
（付記６）
（付記１）乃至（付記５）のうちいずれかに記載の照明装置であって、
前記照明手段は、ＬＥＤ（Light Emitting Diode）である、ことを特徴とする照明装置。
（付記７）
キー操作部又は表示部に設けられ発光して、前記キー操作部又は表示部の照明を行う蓄光部材と、
周囲の照度を検出する照度検出手段と、
前記照度検出手段により前記周囲の照度を検出しているときの時間を計測する時間計測手段と、
電源から供給される電力を用いて、照明を行う照明手段と、
前記蓄光部材の特性を含む蓄光特性データを記憶する記憶手段と、
前記記憶手段に記憶された前記蓄光特性データと、前記照度検出手段により検出された前記周囲の照度と、前記時間計測手段により計測された前記時間と、に基づいて、前記蓄光部材に蓄積された蓄光量の度合いを示す蓄光度合を算出する蓄光度合算出手段と、
前記照度検出手段により検出された前記周囲の照度と、前記蓄光度合算出手段により算出された前記蓄光度合と、に基づいて、前記照明手段の照明を制御する制御手段と、を備える、ことを特徴とする携帯端末。
（付記８）
前記携帯端末の周囲の照度を検出するステップと、
前記周囲の照度を検出しているときの時間を計測するステップと、
電源から供給される電力を用いて、前記携帯端末の照明を行うステップと、
当該携帯端末に設けられた蓄光部材の特性を含む蓄光特性データと、前記検出された周囲の照度と、前記計測された時間と、に基づいて、前記蓄光部材に蓄積された蓄光量の度合いを示す蓄光度合を算出するステップと、
前記検出された周囲の照度と、前記算出された蓄光度合と、に基づいて、前記照明を制御するステップと、を含む、ことを特徴とする照明装置の制御方法。
（付記９）
携帯端末の周囲の照度を検出しているときの時間を計測する処理と、
前記携帯端末に設けられた蓄光部材の特性を含む蓄光特性データと、前記検出された周囲の照度と、前記計測された時間と、に基づいて、前記蓄光部材に蓄積された蓄光量の度合いを示す蓄光度合を算出する処理と、
前記周囲の照度と、前記算出された蓄光度合と、に基づいて、電源から供給される電力を用いて前記携帯端末の照明を制御する処理と、
をコンピュータに実行させることを特徴とする照明装置の制御プログラム。
【産業上の利用可能性】
【００５３】
本発明は、携帯電話機などの携帯端末の消費電力を抑え、使用時間を延ばすことができる照明装置に利用可能である。
【符号の説明】
【００５４】
１０    照明装置
１１    キー操作部
１２    制御装置
１３    照度センサ
１４    蓄光塗料部
１５    キーバックライト
１６    ディスプレイバックライト
１７    バッテリ
１００    携帯端末
１２１    時間計測部
１２２    メモリ
１２３    蓄光度合算出部
１２４    制御部
【図１】
2012222738.tif 000003
【図２】
2012222738.tif 000004
【図３】
2012222738.tif 000005
【図４】
2012222738.tif 000006
【図５】
2012222738.tif 000007